(57)【要約】      （修正有）【課題】ゴルフクラブの長さとゴルフクラブの全体重量との間の極めて特別な関係を利用してゴルフクラブの全セットにわたって性能を改善するゴルフクラブセットを提供する。【解決手段】複数のゴルフクラブは、約３８インチよりも長い長さＬｃｌｕｂを有し第１の重量を有する第１のゴルフクラブと、約３６インチから約３８インチの長さＬｃｌｕｂを有し第２の重量を有する第２のゴルフクラブと、約３６インチよりも短い長さＬｃｌｕｂを有し第３の重量を有する第３のゴルフクラブとを有し、上記第１の重量は上記第２の重量より少なく、上記第２の重量は上記第１の重量より少なく、かつ、上記第１、第２、および第３のゴルフクラブは、すべて、Ｍｓｈａｆｔ≧−６Ｌｓｈａｆｔ＋３４７の式を満たす個々のシャフトを有する。【選択図】図５
2016159151.tif 000002
【特許請求の範囲】
【請求項１】
ゴルフクラブにおいて、
上記ゴルフクラブの末端に位置決めされたクラブヘッドと、
上記ゴルフクラブの基端に位置決めされたグリップと、
上記クラブヘッドおよび上記グリップの間に介在して上記クラブヘッドを上記グリップに結合させるシャフトとを有し、
上記ゴルフクラブの重量Ｍｃｌｕｂが上記ゴルフクラブの長さＬｃｌｕｂの増加に応じて、Ｍｃｌｕｂ≧−２０．６９１Ｌｃｌｕｂ＋１２０１．５の関係に従って減少することを特徴とするゴルフクラブ。
【請求項２】
上記シャフトはステップ状である請求項１記載のゴルフクラブ。
【請求項３】
上記シャフトの重量Ｍｓｈａｆｔが上記シャフトの長さＭｓｈａｆｔの増加に応じて、Ｍｓｈａｆｔ≧−６Ｌｓｈａｆｔ＋３４７の関係に従って減少する請求項１記載のゴルフクラブ。
【請求項４】
上記ゴルフクラブの長さＬｃｌｕｂは３２インチから４８インチの間である請求項３記載のゴルフクラブ。
【請求項５】
複数のゴルフクラブにおいて、
約３８インチよりも長い長さＬｃｌｕｂを有し第１の重量を有する第１のゴルフクラブと、
約３６インチから約３８インチの長さＬｃｌｕｂを有し第２の重量を有する第２のゴルフクラブと、
約３６インチよりも短い長さＬｃｌｕｂを有し第３の重量を有する第３のゴルフクラブとを有し、
上記第１の重量は上記第２の重量より少なく、上記第２の重量は上記第１の重量より少なく、かつ、
上記第１、第２、および第３のゴルフクラブは、すべて、Ｍｓｈａｆｔ≧−６Ｌｓｈａｆｔ＋３４７の式を満たす個々のシャフトを有することを特徴とする複数のゴルフクラブ。
【請求項６】
上記第１の重量は約４１５グラムより小さい請求項５記載の複数のゴルフクラブ。
【請求項７】
上記第２の重量は約４１５グラムと約４４６グラムの間である請求項６記載の複数のゴルフクラブ。
【請求項８】
上記第３の重量は約４４６グラムより大きい請求項７記載の複数のゴルフクラブ。
【請求項９】
上記第１の重量、上記第２の重量、および上記第３の重量は、すべて、Ｍｃｌｕｂ≧−２０．６９１Ｌｃｌｕｂ＋１２０１．５の関係に従って、上記第１、第２、または第３のゴルフクラブの上記長さに左右される請求項５記載の複数のゴルフクラブ。
【請求項１０】
上記シャフトはステップ状である請求項９記載の複数のゴルフクラブ。
【請求項１１】
上記第１のゴルフクラブは第１のシャフトを有し、上記第１のシャフトは１５のセクションを有し、各セクションはその直径を減少させる請求項９記載の複数のゴルフクラブ。
【発明の詳細な説明】
【技術分野】
【０００１】
この発明は、全般的には、重み付け特性が改善されたゴルフクラブセットに関する。具体的には、この発明は、クラブの長さが短くなるほど重量が増加する、２またはそれ以上の複数のゴルフクラブに関する。クラブの長さおよびクラブの重量の間の反比例関係があると、長いゴルフクラブに対して軽く柔らかいシャフトを形成し、その反面、短いアイアンに対して重く硬いシャフトを形成することにより、ゴルフクラブヘッドのセットの特性を改善するのに役立つ。この発明は、ゴルフクラブのシャフト部分の重量を調整する点に焦点を当てることによってこれを実現する。ただし、シャフトは究極的にはゴルフクラブの１つの部品であるので、この発明の焦点は、重み付けが改善されたゴルフクラブに向けられている。
【背景技術】
【０００２】
ゴルフクラブはいくつかのキーとなる部品を含み、これらすべてがゴルフクラブヘッドの全体性能に影響する。ほとんどのゴルフクラブの改良はゴルフクラブのクラブヘッド部分に焦点が置かれるけれども、ゴルフクラブの他の部分にも重要な改良が行える。
【０００３】
米国特許第７，１７５，５３８号（Ｍｉｌｌｅｒ）は、ゴルフクラブのグリップに留意することによりゴルフクラブヘッドの他の部分を改良する１つの例を説明する。米国特許第７，１７５，５３８号は、バットエンドから他端へと漸進的にグリップ直径が減少する。
【０００４】
米国特許第５，７１１，７２１号（Ｊｏｈｎｓｏｎ外）はゴルフクラブのフェルーレに焦点を置いてゴルフクラブヘッドを改善する他の例を示す。米国特許第５，７１１，７２１号は、頂部表面を有する、少なくとも１つの立ち上がり要素と、上記第１部材の回りにモールドされて、立ち上がり要素を包囲してロゴ表示または印を実現するゴルフクラブ用のフェルーレを提供する。
【０００５】
米国特許第５，０４９，４２２号（Ｈｏｎｍａ）はゴルフクラブヘッドのシャフト部分の改良の例を提供する。米国特許第５，０４９，４２２号においては、発明者は、カーボンシャフトの特性を付与することなしにスチールシャフトの振動特性をもたらすことができるゴルフクラブ用のシャフトを教示している。発明者は、金属繊維をカーボンシャフトの外側層部分に特定方向の金属繊維配向で組み込むことによりこれを実現する。
【０００６】
この発明は、多くの他の要素とともに、ゴルフクラブのシャフト部分を調整することによりゴルフクラブの性能を改善することに焦点を置いている。ゴルフクラブの長さとゴルフクラブの全体重量との間の極めて特別な関係を利用してゴルフクラブの全セットにわたって性能を改善するゴルフクラブセットを形成する。
【先行技術文献】
【特許文献】
【０００７】
【特許文献１】米国特許第７，１７５，５３８号明細書
【特許文献２】米国特許第５，７１１，７２１号明細書
【特許文献３】米国特許第５，０４９，４２２号明細書
【発明の概要】
【０００８】
この発明の１側面において、ゴルフクラブは、上記ゴルフクラブの末端に位置決めされたクラブヘッドと、上記ゴルフクラブの基端に位置決めされたグリップと、上記クラブヘッドおよび上記グリップの間に介在して上記クラブヘッドを上記グリップに結合させるシャフトとを有し、上記ゴルフクラブの重量Ｍｃｌｕｂが上記ゴルフクラブの長さＬｃｌｕｂの増加に応じて、Ｍｃｌｕｂ≧−２０．６９１Ｌｃｌｕｂ＋１２０１．５の関係に従って減少する。
【０００９】
この発明の他の側面において、複数のゴルフクラブは、約３８インチよりも長い長さＬｃｌｕｂを有し第１の重量を有する第１のゴルフクラブと、約３６インチから約３８インチの長さＬｃｌｕｂを有し第２の重量を有する第２のゴルフクラブと、約３６インチよりも短い長さＬｃｌｕｂを有し第３の重量を有する第３のゴルフクラブとを有し、上記第１の重量は上記第２の重量より少なく、上記第２の重量は上記第１の重量より少なく、かつ、上記第１、第２、および第３のゴルフクラブは、すべて、Ｍｓｈａｆｔ≧−６Ｌｓｈａｆｔ＋３４７の式を満たす個々のシャフトを有する。
【００１０】
この発明のこれら、および他の特徴、側面、利点は、以下の図面、明細書および特許請求の範囲を参照してより理解できるであろう。
【００１１】
この発明の先の、および他の特徴および利点は、添付図面に図説されるこの発明の以下の説明から明らかである。添付図面はここに組み入れられ、明細書の一部を構成し、さらに、この発明の原理を説明し、当業者がこの発明を形成し使用することを可能にするのに役立つ。
【図面の簡単な説明】
【００１２】
【図１】添付図面の図１は、この発明の事例的な実施例に従うロングアイアンゴルフクラブシャフトの斜視図を示す。
【図２】添付図面の図２は、この発明の事例的な実施例に従うミッドアイアンゴルフクラブシャフトの斜視図を示す。
【図３】添付図面の図３は、この発明の事例的な実施例に従うショートアイアンゴルフクラブシャフトの斜視図を示す。
【図４】添付図面の図４は、この発明の事例的な実施例に従う、お互いに隣り合う、ロングアイアン、ミッドアイアン、およびショートアイアンの斜視図を示す。
【図５】添付図面の図５は、ゴルフクラブヘッド、ゴルフクラブシャフト、ゴルフクラブグリップのような個々の部品で完成させられたゴルフクラブのセット内の３つのゴルフクラブの斜視図を示す。
【発明を実施するための形態】
【００１３】
以下の詳細な説明は、この発明を実施する最良の現行企画モデルのものである。この説明は限定的な意味で受け取られるべきではなく、この発明の全体的な原理を説明する目的でのみなされている。この発明の範囲は添付の特許請求の範囲により最も良く規定されているからである。
【００１４】
種々の発明の特徴が以下に説明され、その各々は他の特徴と独立に採用されてもよいし、他の特徴と組みあわされて使用されても良い。ただし、発明の任意の１つの特徴は上述した問題のいずれも、またはすべてを扱わないかもしれないし、上述した問題の１つのみを取り扱うかもしれない。さらに、上述した問題の１つまたは複数は、以下説明される特徴のいずれでも取り扱われないかもしれない。
【００１５】
この発明において全体的なクラブ性能を改善する手法の１つが、ゴルフクラブシャフトの重量Ｍｓｈａｆｔをシャフトの長さＬｓｈａｆｔに応じて調整することにより改善することであるので、以下の検討は、ゴルフクラブのシャフト部分に焦点が置くことにより開始される。ただし、ゴルフクラブの全体的な性能が、この発明が最終的に焦点を置くことであるので、この検討の後半の部分では、ゴルフクラブの長さＬｃｌｕｂおよびゴルフクラブの重量Ｍｃｌｕｂに焦点が移される。
【００１６】
所望の全体的なクラブ重量を実現する方法の１つは、シャフトの重量Ｍｓｈａｆｔをシャフトの長さＬｓｈａｆｔが変化するのに応じて調整することである。より具体的には、この発明は、長さＬｓｈａｆｔが減少するときにゴルフクラブ重量Ｍｓｈａｆｔを増大させる、ＭｓｈａｆｔおよびＬｓｈａｆｔの間の極めて具体的な関係を形成する。
【００１７】
添付図面の図１は、この発明の事例的な実施例に従うロングアイアンのゴルフクラブシャフト１００の斜視図を示す。この発明は、ゴルフクラブの性能をゴルフクラブシャフト１００を通じて改善するために、ゴルフクラブシャフト１００の長さＬｓｈａｆｔをゴルフクラブシャフト１００の重量Ｍｓｈａｆｔの関数として表す特別な関係を作成した。より具体的には、ゴルフクラブシャフト１００の長さＬｓｈａｆｔとゴルフクラブシャフト１００の重量Ｍｓｈａｆｔとの間に形成された関係は反転したものであり、すなわち、ゴルフクラブシャフト１００の長さＬｓｈａｆｔの増加が、ゴルフクラブシャフト１００の増加と等しいことを意味する。この発明の事例的な実施例において、長さＬｓｈａｆｔおよび重量Ｍｓｈａｆｔの間の反転関係は以下の式（１）により定量化される。
Ｍｓｈａｆｔ≧−６Ｌｓｈａｆｔ＋３４７          式（１）
【００１８】
この発明の１つの事例的な実施例において、ロングアイアンゴルフクラブシャフト１００は約４０．５インチの長さＬｓｈａｆｔを有し、約１０４グラムより大きな重量Ｍｓｈａｆｔを有して良い。この発明の他の事例的な実施例において、ロングアイアンゴルフクラブシャフト１００は約４０インチの長さＬｓｈａｆｔを有し、約１０７グラムより大きな重量Ｍｓｈａｆｔを有して良い。この発明の他の事例的な実施例において、ロングアイアンゴルフクラブシャフト１００は約３９．５インチの長さＬｓｈａｆｔを有し、約１１０グラムより大きな重量Ｍｓｈａｆｔを有して良い。この発明の他の事例的な実施例において、ロングアイアンゴルフクラブシャフト１００は約３９インチの長さＬｓｈａｆｔを有し、約１１３グラムより大きな重量Ｍｓｈａｆｔを有して良い。
【００１９】
シャフト長さＬｓｈａｆｔおよび重量Ｍｓｈａｆｔの間の上述の関係を実現するために、この発明では、異なる内側および外側のシャフトプロフィールを利用してこのゴールを達成するのを支援する。現行の事例的な実施例において、セクション１０１は約０．６０インチの外側直径を有して良く、セクション１０２は約０．５９インチの外側直径を有して良く、セクション１０４は約０．５７５インチの外側直径を有して良く、セクション１０６は約０．５６インチの外側直径を有して良く、セクション１０８は約０．５４５インチの外側直径を有して良く、セクション１１０は約０．５３０インチの外側直径を有して良く、セクション１１２は約０．５１５インチの外側直径を有して良く、セクション１１４は約０．５００インチの外側直径を有して良く、セクション１１６は約０．４８５インチの外側直径を有して良く、セクション１１８は約０．４７０インチの外側直径を有して良く、セクション１２０は約０．４５０インチの外側直径を有して良く、セクション１２２は約０．４３０インチの外側直径を有して良く、セクション１２４は約０．４１０インチの外側直径を有して良く、セクション１２６は約０．３９５インチの外側直径を有して良く、さらに、セクション１２８は外側直径が０．３５５インチになるまで、約０．００７５インチ／インチの比率でテーパー付けられて良い。
【００２０】
最後に、ゴルフクラブシャフト１００の外側プロフィールはその外側直径プロフィールにおいてステップ状となっていることにここで留意されたい。これは現行の発明に必要とされる重量調整の程度を実現するのを支援できる。ただし、ゴルフクラブシャフト１００の外側プロフィールは、この発明の範囲および内容から逸脱しない範囲で、連続的にテーパー付けられても、平行でも、または、任意の他の幾何形状でも、さらには代替的な材料でも良い。
【００２１】
添付図面の図２は、この発明の事例的な実施例に従うミッドアイアンのゴルフクラブシャフト２００の斜視図を示す。ミッドアイアンは、ロングアイアンと同様に、長さＬｓｈａｆｔおよび重量Ｍｓｈａｆｔの間に逆相関関係を有し、これが上述の式（１）と類似の関係を成立させる。この発明の事例的な実施例において、ミッドアイアンゴルフクラブシャフト２００は約３８．５インチの長さＬｓｈａｆｔを有し、約１１６グラムより大きな重量Ｍｓｈａｆｔを有して良い。この発明の他の事例的な実施例において、ミッドアイアンゴルフクラブシャフト２００は約３８インチの長さＬｓｈａｆｔを有し、約１１９グラムより大きな重量Ｍｓｈａｆｔを有して良い。この発明の他の事例的な実施例において、ミッドアイアンゴルフクラブシャフト２００は約３７．５インチの長さＬｓｈａｆｔを有し、約１２２グラムより大きな重量Ｍｓｈａｆｔを有して良い。
【００２２】
シャフト長さＬｓｈａｆｔおよび重量Ｍｓｈａｆｔの間の上述の関係を実現するために、この発明は、約０．６００インチの外側直径のセクション２０１、約０．５８５インチの外側直径のセクション２０２、約０．５６８インチの外側直径のセクション２０４、約０．５５３インチの外側直径のセクション２０６、約０．５３８インチの外側直径のセクション２０８、約０．５２３インチの外側直径のセクション２１０、約０．５０８インチの外側直径のセクション２１２、約０．４９３インチの外側直径のセクション２１４、約０．４７８インチの外側直径のセクション２１６、約０．４６３インチの外側直径のセクション２１８、約０．４４５インチの外側直径のセクション２２０、約０．４３０インチの外側直径のセクション２２２、約０．４１０インチの外側直径のセクション２２４、約０．３９５インチの外側直径のセクション２２６を有しよく、さらに、セクション２２８は、シャフト２００が０．３５５インチの外側直径になるまで、約０．００７５インチ／インチの比率でテーパー付けられて良い。
【００２３】
添付図面の図３は、この発明の事例的な実施例に従うショートアイアンのゴルフクラブシャフト３００の斜視図を示す。ショートアイアンは、ロングアイアンおよびミッドアイアンと同様に、長さＬｓｈａｆｔおよび重量Ｍｓｈａｆｔの間に逆相関関係を有し、これが上述の式（１）と類似の関係を成立させる。この発明の事例的な実施例において、ショートアイアンゴルフクラブシャフト３００は約３７．０インチの長さＬｓｈａｆｔを有し、約１２５グラムより大きな重量Ｍｓｈａｆｔを有して良い。この発明の他の事例的な実施例において、ショートアイアンゴルフクラブシャフト３００は約３６．５インチの長さＬｓｈａｆｔを有し、約１２８グラムより大きな重量Ｍｓｈａｆｔを有して良い。
【００２４】
シャフト長さＬｓｈａｆｔおよび重量Ｍｓｈａｆｔの間の上述の関係を実現するために、この発明は、約０．５８０インチの外側直径のセクション３０１、約０．５６０インチの外側直径のセクション３０２、約０．５４５インチの外側直径のセクション３０４、約０．５３０インチの外側直径のセクション３０６、約０．５１５インチの外側直径のセクション３０８、約０．５００インチの外側直径のセクション３１０、約０．４８５インチの外側直径のセクション３１２、約０．４７０インチの外側直径のセクション３１４、約０．４４５インチの外側直径のセクション３１６、約０．４４０インチの外側直径のセクション３１８、約０．４２５インチの外側直径のセクション３２０、約０．４１０インチの外側直径のセクション３２２、約０．３９５インチの外側直径のセクション３２４、約０．３９５インチの外側直径のセクション２２６を有しよく、さらに、セクション３２８は、シャフト３００が０．３５５インチの外側直径になるまで、約０．００７５インチ／インチの比率でテーパー付けられて良い。
【００２５】
添付図面の図４は、先に検討した３つのシャフトのすべて、すなわち、ロングアイアン１００、ミッドアイアン２００、およびショートアイアン３００を隣り合わせに示し、それらの相互の相対長さを図説する。
【００２６】
最後に、ゴルフクラブ自体に関する検討に戻る。添付図面の図５は、ゴルフクラブシャフト１００、２００、および３００の３つのすべての斜視図を示し、これらはそれぞれの部品に結合されている。この図説は、ゴルフクラブ１０７、２０７、および３０７の全体クラブ長さＬｃｌｕｂと、全体クラブ重量Ｍｃｌｕｂとの間の関係を構築する上でこの発明の全体を一体的に取り入れる。全クラブ重量Ｍｃｌｕｂに全クラブ長さＬｃｌｕｂとともに焦点をあわせる検討の境界を構築することは重要である。なぜならば、特定の関係は、性能を制御するものであるからである。図５に戻ると、全クラブ重量Ｍｃｌｕｂは全クラブ長さＬｃｌｕｂとともに３つの主たる部品、すなわち、クラブヘッド１０３、２０３、および３０３、シャフト１００、２００、および３００、さらにグリップ１０５、２０５、および３０５に左右されることがわかる。これらの部品を考慮にいれると、以下の式（２）で表される以下の関係が構築できる。
Ｍｃｌｕｂ≧−２０．６９１Ｌｃｌｕｂ＋１２０１．５      式（２）
【００２７】
この発明の１つの事例的な実施例において、ゴルフクラブ１０７、２０７、および３０７は約３９インチの長さＬｃｌｕｂを有し、約３９６グラムより大きな重量Ｍｃｌｕｂを有して良い。この発明の他の事例的な実施例において、ゴルフクラブ１０７、２０７、および３０７は約３８．５インチの長さＬｃｌｕｂを有し、約４０５グラムより大きな重量Ｍｃｌｕｂを有して良い。この発明の他の事例的な実施例において、ゴルフクラブ１０７、２０７、および３０７は約３８インチの長さＬｃｌｕｂを有し、約４１５グラムより大きな重量Ｍｃｌｕｂを有して良い。この発明の他の事例的な実施例において、ゴルフクラブ１０７、２０７、および３０７は約３７．５インチの長さＬｃｌｕｂを有し、約４２４グラムより大きな重量Ｍｃｌｕｂを有して良い。この発明の他の事例的な実施例において、ゴルフクラブ１０７、２０７、および３０７は約３７インチの長さＬｃｌｕｂを有し、約４３５グラムより大きな重量Ｍｃｌｕｂを有して良い。この発明の他の事例的な実施例において、ゴルフクラブ１０７、２０７、および３０７は約３６．５インチの長さＬｃｌｕｂを有し、約４４６グラムより大きな重量Ｍｃｌｕｂを有して良い。この発明の他の事例的な実施例において、ゴルフクラブ１０７、２０７、および３０７は約３６インチの長さＬｃｌｕｂを有し、約４５６グラムより大きな重量Ｍｃｌｕｂを有して良い。この発明の他の事例的な実施例において、ゴルフクラブ１０７、２０７、および３０７は約３５．７５インチの長さＬｃｌｕｂを有し、約４６４グラムより大きな重量Ｍｃｌｕｂを有して良い。
【００２８】
上述に基づくと、２またはそれ以上の複数のゴルフクラブをゴルフクラブセット中に有していると重量Ｍｃｌｕｂと全クラブ長さＬｃｌｕｂとの間に、長いクラブほど軽く、短いクラブほど重くなるような関係が構築されることがわかる。上述の検討はアイアンタイプゴルフクラブのセットに向けられているけれども、上述に加えて、この漸進的な関係は、この発明の範囲および内容に逸脱しない範囲で、４８インチまでの長いドライバから３２インチまでの短いパターまでのゴルフクラブのすべてのセットに適用可能である。
【００２９】
全クラブ重量Ｍｃｌｕｂおよび全クラブ長さＬｃｌｕｂにおける調整の主たるものはシャフト重量Ｍｓｈａｆｔおよびシャフト長さＬｓｈａｆｔであろうけれども、先に式（２）で示した関係を生成する上で他の部品も重要である。実際、この発明の範囲および内容から逸脱しない限り、先に式（２）で示す関係を実現するためにクラブヘッド１０３、２０３、３０３並びにグリップ１０５、２０５、および３０５も調整できる。
【００３０】
代替的には、この発明は、３８インチより長い第１のゴルフクラブ、約３６から３８インチの長さの第２のゴルフクラブ、および、約３６インチより短い第３のゴルフクラブを具備する複数のゴルフクラブに関すると言及して良い。第１のゴルフクラブは全般的には第１の重量である最も軽い重量を有し、第２のゴルフクラブは全般的には第１の重量より重い第２の重量を有し、第３のゴルフクラブは第３の重量を有し、この第３の重量は第１の重量および第２の重量より重い。究極的には、ゴルフクラブの重要および長さの間に形成された、この特定の関係がゴルフクラブの性能を改善するのを支援する上で有益であり、ただし、これは直感に反するものである。一般的には、ゴルフクラブが短くなれば、均一な材料のシャフトをトリミングするときにはゴルフクラブシャフトの重量は少なくなる。この古風な知恵では、ゴルフクラブシャフトはロフトが大きくなると重くなりロフトが小さくなると軽くなるようにしている。この発明は、より性能を重視した設計手法で慣用的な考え方を覆すことによるこの方法によって完全をもたらす。ゴルファがそのバッグ中の最も長いゴルフクラブを最も良好にスイングするのを支援するために、最も長いクラブのゴルフクラブ重量を減少させるのを支援することが有益であり、これにより、より短いアイアンの充用を増大させる結果となる。この発明は非慣用的な手法の利点を利用してこれら変数についての極めて特定的な関係を形成したものである。
【００３１】
実施例の外に、または、とくにことわらない限りは、すべての数の範囲、量、値およびパーセンテージ例えば明細書中の材料の量、慣性モーメント、重心位置、ロフト、ドラフト角度、種々の性能比、その他に関するそのようなものは、値、量、または範囲とともに明瞭に「約」の用語が表示されていなくてもそのような用語「約」があるものとして認識することができる。したがって、そうでないと示されない限り、明細書および特許請求の範囲の数字のパラメータは近似であり、これはこの発明により実現されることがのぞまれる所望の特性に応じて変化する。特許請求の範囲の均等理論の適応を排除する意図はないが、少なくとも、各数量のパラメータは報告された実行桁数の下で理解され、通常の丸め手法により把握すべきである。
【００３２】
この発明の広い範囲を示す数量の範囲およびパラメータは近似であるけれども、明細書の例に示された数量の値はできる限り正確に報告されている。ただし、いずれの数量の値も、各実験の測定に見いだされる標準偏差に起因する必然的な誤差を内在する。さらに、種々のことがらについて数量の範囲が示される場合には、指摘した値の範囲で、それらを組み合わせたものが利用できることを理解されたい。
【００３３】
以上は、この発明の例示の実施例に関するものであり、以下の特許請求の範囲で示される発明の範囲および程度を逸脱することなく修正を行えることはもちろんであることに留意されたい。
【符号の説明】
【００３４】
１００    ロングアイアンゴルフクラブシャフト
１０３    クラブヘッド
１０５    グリップ
１０７    ロングアイアンゴルフクラブ
２００    ミッドアイアンゴルフクラブシャフト
２０７    ミッドアイアンゴルフクラブ
３００    ショートアイアンゴルフクラブシャフト
３０７    ショートアイアンゴルフクラブ
【図１】
2016159151.tif 000003
【図２】
2016159151.tif 000004
【図３】
2016159151.tif 000005
【図４】
2016159151.tif 000006
【図５】
2016159151.tif 000007
【手続補正書】
【提出日】平成28年6月17日(2016.6.17)
【手続補正１】
【補正対象書類名】特許請求の範囲
【補正対象項目名】全文
【補正方法】変更
【補正の内容】
【特許請求の範囲】
【請求項１】
ゴルフクラブにおいて、
上記ゴルフクラブの末端に位置決めされたクラブヘッドと、
上記ゴルフクラブの基端に位置決めされたグリップと、
上記クラブヘッドおよび上記グリップの間に介在して上記クラブヘッドを上記グリップに結合させるシャフトとを有し、
上記ゴルフクラブの重量Ｍｃｌｕｂが上記ゴルフクラブの長さＬｃｌｕｂの増加に応じて、Ｍｃｌｕｂ≧−２０．６９１Ｌｃｌｕｂ＋１２０１．５の関係に従って減少することを特徴とするゴルフクラブ。
【請求項２】
上記シャフトはステップ状である請求項１記載のゴルフクラブ。
【請求項３】
上記シャフトの重量Ｍｓｈａｆｔが上記シャフトの長さＭｓｈａｆｔの増加に応じて、Ｍｓｈａｆｔ≧−６Ｌｓｈａｆｔ＋３４７の関係に従って減少する請求項１記載のゴルフクラブ。
【請求項４】
上記ゴルフクラブの長さＬｃｌｕｂは８１．２８ｃｍ（３２インチ）から１２１．９２ｃｍ（４８インチ）の間である請求項３記載のゴルフクラブ。
【請求項５】
複数のゴルフクラブにおいて、
９６．５２ｃｍ（３８インチ）よりも長い長さＬｃｌｕｂを有し第１の重量を有する第１のゴルフクラブと、
９１．４４ｃｍ（３６インチ）から９６．５２ｃｍ（３８インチ）の長さＬｃｌｕｂを有し第２の重量を有する第２のゴルフクラブと、
９１．４４ｃｍ（３６インチ）よりも短い長さＬｃｌｕｂを有し第３の重量を有する第３のゴルフクラブとを有し、
上記第１の重量は上記第２の重量より少なく、上記第２の重量は上記第１の重量より少なく、かつ、
上記第１、第２、および第３のゴルフクラブは、すべて、Ｍｓｈａｆｔ≧−６Ｌｓｈａｆｔ＋３４７の式を満たす個々のシャフトを有することを特徴とする複数のゴルフクラブ。
【請求項６】
上記第１の重量は４１５グラムより小さい請求項５記載の複数のゴルフクラブ。
【請求項７】
上記第２の重量は４１５グラムと４４６グラムの間である請求項６記載の複数のゴルフクラブ。
【請求項８】
上記第３の重量は４４６グラムより大きい請求項７記載の複数のゴルフクラブ。
【請求項９】
上記第１の重量、上記第２の重量、および上記第３の重量は、すべて、Ｍｃｌｕｂ≧−２０．６９１Ｌｃｌｕｂ＋１２０１．５の関係に従って、上記第１、第２、または第３のゴルフクラブの上記長さに左右される請求項５記載の複数のゴルフクラブ。
【請求項１０】
上記シャフトはステップ状である請求項９記載の複数のゴルフクラブ。
【請求項１１】
上記第１のゴルフクラブは第１のシャフトを有し、上記第１のシャフトは１５のセクションを有し、各セクションはその直径を減少させる請求項９記載の複数のゴルフクラブ。
【外国語明細書】
2016159151.tif 000008
2016159151.tif 000009
2016159151.tif 000010
2016159151.tif 000011
2016159151.tif 000012
2016159151.tif 000013
2016159151.tif 000014
2016159151.tif 000015
2016159151.tif 000016
2016159151.tif 000017
2016159151.tif 000018
Ｃｌａｉｍｓ
2016159151.tif 000019
2016159151.tif 000020
１．Ａｂｓｔｒａｃｔ
2016159151.tif 000021
２．Ｒｅｐｒｅｓｅｎｔａｔｉｖｅ  Ｄｒａｗｉｎｇ
Ｆｉｇ．５
2016159151.tif 000022
2016159151.tif 000023
2016159151.tif 000024
2016159151.tif 000025
2016159151.tif 000026